(57)【要約】【課題】  コスト縮減、容易な維持管理をはかった圧送式下水道における滞留水排除方法及びその装置を提供すること。【解決手段】  圧送用マンホール１７内の下水１６を圧送ポンプ１９にて排水した後、圧送ポンプ１９のポンプ吐出口３０に設けた２方バルブ２３を閉じ、替わって、圧送管２２に連結した汚水排除手段２４により圧送管２２内に滞留している下水１６を他のマンホール１２に排除しつつ圧送管２２の内部を腐敗しにくい流体と置き換える。圧送管２２内に滞留している下水１６を排除するのに、排水ボール２７を空気圧で押し出し、空気と置換する方法、腐敗しにくい水で押し出してその水と置換する方法がある。【選択図】  図１
2005061154.tif 000002
【特許請求の範囲】
【請求項１】
圧送用マンホール１７内の下水１６を、圧送ポンプ１９と圧送管２２により他のマンホール１２に圧送する工程と、この圧送工程の後、前記圧送管２２内に滞留する下水１６を汚水排除手段２４により腐敗しにくい他の流体と置換する工程とからなることを特徴とする圧送式下水道における滞留水排除方法。
【請求項２】
圧送用マンホール１７内の下水１６を、圧送ポンプ１９と圧送管２２により他のマンホール１２に圧送するようにした下水道の圧送装置において、前記圧送管２２の圧送ポンプ１９に近い個所に２方バルブ２３を介在し、この２方バルブ２３の吐出口側における圧送管２２に、この圧送管２２内の下水１６を前記他のマンホール１２に押し出して他の流体と置換する汚水排除手段２４を連結したことを特徴とする圧送式下水道における滞留水排除装置。
【請求項３】
汚水排除手段２４は、圧送管２２に空気圧供給路２９を介して連結したコンプレッサ２５と、この空気圧供給路２９にボール供給路２８を介して排水ボール２７を供給する排水ボール供給容器２６とからなり、前記排水ボール２７は、圧送管２２の内径と略同一径の軟質球状体からなることを特徴とする請求項２記載の圧送式下水道における滞留水排除装置。
【請求項４】
汚水排除手段２４は、３方バルブ３１、吸い上げ管３８、置換水供給管３７、置換水貯留タンク３２を具備し、前記３方バルブ３１の吐出口を圧送ポンプ１９の吸入口に連結し、前記３方バルブ３１の一方の吸入口を吸い上げ管３８に、他方の吸入口を置換水供給管３７にそれぞれ連結し、前記吸い上げ管３８の先端を圧送用マンホール１７内の下水１６に臨ませ、前記置換水供給管３７の先端を置換水貯留タンク３２の置換水４４に臨ませてなり、前記３方バルブ３１を吸い上げ管３８側に切り換えて圧送用マンホール１７内の下水１６を圧送ポンプ１９にて圧送管２２を介して他のマンホール１２に圧送した後、前記３方バルブ３１を置換水供給管３７側に切り換えて置換水貯留タンク３２内の腐敗しにくい置換水４４を圧送ポンプ１９にて圧送管２２に圧送し、この圧送管２２に滞留する下水１６を置換水４４と置換するようにしたことを特徴とする請求項２記載の圧送式下水道における滞留水排除装置。
【請求項５】
汚水排除手段２４は、第１の２方バルブ３４、吸い上げ管３８、第２の２方バルブ３５、置換水供給管３７、置換水貯留タンク３２を具備し、前記第１の２方バルブ３４の吐出口を圧送ポンプ１９の吸入口に連結し、前記吸い上げ管３８の一端を第１の２方バルブ３４の吸入口に連結するとともに、他端を圧送用マンホール１７内の下水１６に臨ませ、前記置換水供給管３７の一端を前記圧送用マンホール１７に連結するとともに、他端を置換水貯留タンク３２の置換水４４に臨ませ、この置換水供給管３７の途中に第２の２方バルブ３５を介在してなり、前記第１の２方バルブ３４を開き、前記第２の２方バルブ３５を閉じて圧送用マンホール１７内の下水１６を圧送ポンプ１９にて圧送管２２を介して他のマンホール１２に圧送した後、前記第１の２方バルブ３４を閉じ第２の２方バルブ３５を開いて、置換水貯留タンク３２内の腐敗しにくい置換水４４を圧送用マンホール１７に一定量を貯留した後、第１の２方バルブ３４を開いて圧送ポンプ１９にて圧送管２２に圧送し、この圧送管２２に滞留する下水１６を置換水４４と置換するようにしたことを特徴とする請求項２記載の圧送式下水道における滞留水排除装置。
【請求項６】
汚水排除手段２４は、２方バルブ３４、吸い上げ管３８、置換水ポンプ３３、置換水供給管３７、置換水貯留タンク３２を具備し、前記２方バルブ３４の吐出口を圧送ポンプ１９の吸入側に連結し、前記吸い上げ管３８の一端を２方バルブ３４の吸入口に連結するとともに、他端を圧送用マンホール１７内の下水１６に臨ませ、前記置換水供給管３７の一端を前記圧送管２２の圧送ポンプ１９に近い位置に連結するとともに、他端を置換水貯留タンク３２の腐敗しにくい置換水４４に臨ませ、この置換水供給管３７の途中に置換水ポンプ３３を介在してなり、前記２方バルブ３４を開いて圧送用マンホール１７内の下水１６を圧送ポンプ１９にて圧送管２２に圧送した後、前記２方バルブ３４を閉じ、置換水貯留タンク３２内の置換水４４を置換水ポンプ３３にて圧送管２２に圧送して圧送管２２に滞留する下水１６を置換水ポンプ３３により置換水４４と置換するようにしたことを特徴とする請求項２記載の圧送式下水道における滞留水排除装置。
【発明の詳細な説明】
【技術分野】
【０００１】
本発明は、低地側の圧送用マンホールに集められた下水を圧送ポンプにより下水管埋設地側の自然流下用マンホールに圧送する場合において、圧送管内に滞留する下水を排除するための圧送式下水道における滞留水排除方法及びその装置に関するものである。
【背景技術】
【０００２】
下水道が受け持つ一般家庭から排水される汚水（例えば、トイレ、風呂、厨房等から排水される汚水）や工場等から排水される汚水は、汚水の発生源から下水の終末処理場まで、下水道管内を自然流下で輸送することが原則となっている。
【０００３】
しかし、汚水の発生源が自然流下の下水道管よりも低地にある場合には、図６及び図７に示すように圧送ポンプ１９による圧送方法が採用されている。
さらに詳しくは、下水の終末処理場は、川の近く等、最も低地に設けられ、自然流下用マンホール１２が順次高くなるように設置され、これらの間は、下水１６が自然流下するように傾斜した流入管１３、流出管１４で連結される。
ところが、低地１１に集落等があって、自然流下することが不可能な場合には、その低地１１に圧送用マンホール１７を据え付け、枝管２１から流入管２０を経て汚水を圧送用マンホール１７に集め、圧送ポンプ１９により圧送管２２で下水管埋設地１０側の自然流下用など他のマンホール１２に圧送することが行なわれている。
【０００４】
この圧送方法は、圧送用マンホール１７内に下水１６が所定水位Ｈ１まで貯まると圧送ポンプ１９を作動して圧送管２２により下水管埋設地１０側のマンホール１２に圧送し、水位がＨ２まで下がると圧送ポンプ１９を停止するという間欠的な稼動をしている。圧送ポンプ１９は、２台設置して並列運転することもある。
この圧送方法では、圧送ポンプ１９の運転時間が多く、停止時間が短い場合には、圧送管２２内に滞留する下水１６から硫化水素等が発生することはあまりない。しかし、一般的には、圧送ポンプ１９の１日当たりの運転時間は、ごくわずかであり、１日で１時間にも満たない場合も多い。このことは、圧送ポンプ１９が停止している間、圧送用マンホール１７と自然流下用マンホール１２とを結ぶ圧送管２２内で下水１６が滞留することとなる。そのため、圧送管２２内の下水１６から硫化水素等が生成され、これが起因となって臭気が発生し、この臭気が自然流下用マンホール１２のマンホール蓋１５から漏れて周辺住民の生活環境を悪化させるなどの公害の原因になったり、また、硫化水素が起因して圧送管２２、自然流下用マンホール１２、その他の構造物を腐蝕させるなど、種々の問題が引き起こされている。
【０００５】
このような硫化水素の発生を抑制するため、従来から次のような方法が採用されてきた（例えば、非特許文献１）。
（１）空気注入手法
この方法では、圧送管路入口より管路内に滞留している下水に空気を注入して好気状態を保つことにより、硫化物の生成を防止する。
（２）酸素注入手法
原理は空気注入手法と同様であるが、注入物質に純酸素を用いている。酸素は、空気と比べ溶解量が多いことから、より多量の酸素を下水中に供給することが可能である。
（３）硝酸塩注入手法
通常の微生物反応では、まず、分子状酸素が利用され、次に硝酸イオンの酸素、そして硫酸イオンの酸素が利用される。分子状酸素や硝酸イオンがない状態では、硫酸塩還元細菌により硫酸イオンが還元されて硫化物が生成する。硝酸塩が存在する場合には、硝酸イオンの酸素が優先的に利用されるので、硫酸イオンは利用されず、硫化物が生成しない。
（４）キノン系薬剤注入手法
キノン系薬剤の主成分であるアントラキノンは、染料、パルプの蒸解助剤などとして用いられている。この物質は、硫酸塩還元細菌に対して選択的に活動を阻害する機能があり、貯留槽やポンプ井での硫化水素抑制に用いられた事例が海外で報告されている。このキノン系薬剤を圧送管路に滞留している下水に注入して、硫化物を抑制しようとする手法である。
【非特許文献１】下水道圧送管路研究会編集、「圧送方式下水道」百科（月刊下水道２月号、Ｖｏｌ。２２  Ｎｏ．２  １９９９．２の第７〜１０頁、笹部  薫著「ライフサイクルコストから見た圧送方式の役割」）
【発明の開示】
【発明が解決しようとする課題】
【０００６】
従来の硫化水素の発生を抑制するための方法は、いずれも滞留している下水に気体又は液体を注入する方法であり、これらの注入方法は、注入設備を設ける必要があり、ポンプ設備、汚水貯留設備とあわせると、大きな用地を確保しなければならず、また、建設コスト、電力料、薬品代などの運転管理コストもかさむ、という問題があった。
【０００７】
本発明は、コスト縮減、容易な維持管理をはかった圧送式下水道における滞留水排除方法及びその装置を提供することを目的とする。
【課題を解決するための手段】
【０００８】
本発明は、圧送用マンホール１７内の下水１６を圧送ポンプ１９にて排水した後、圧送ポンプ１９のポンプ吐出口３０に設けた２方バルブ２３を閉じ、替わって、圧送管２２に連結した汚水排除手段２４により圧送管２２内に滞留している下水１６を他のマンホール１２に排除しつつ圧送管２２の内部を腐敗しにくい空気、置換水４４などの流体と置き換えることを特徴とする。
【発明の効果】
【０００９】
請求項１記載の発明によれば、圧送用マンホール１７内の下水１６を、圧送ポンプ１９と圧送管２２により他のマンホール１２に圧送する工程と、この圧送工程の後、前記圧送管２２内に滞留する下水１６を汚水排除手段２４により腐敗しにくい他の流体と置換する工程とからなるので、滞留している下水に気体や液体を注入することがなく、簡単に、かつ、確実に圧送式下水道における滞留水を排除することができる。
【００１０】
請求項２記載の発明によれば、圧送管２２の圧送ポンプ１９に近い個所に２方バルブ２３を介在し、この２方バルブ２３の吐出口側における圧送管２２に、この圧送管２２内の下水１６を他のマンホール１２に押し出して他の流体と置換する汚水排除手段２４を連結したので、建設コスト、電力料、薬品代などの運転管理コストがかからず、安価に圧送式下水道における滞留水を排除することのできる装置を提供することができる。
【００１１】
請求項３記載の発明によれば、汚水排除手段２４は、圧送管２２に空気圧供給路２９を介して連結したコンプレッサ２５と、この空気圧供給路２９にボール供給路２８を介して排水ボール２７を供給する排水ボール供給容器２６とからなり、排水ボール２７は、圧送管２２の内径と略同一径の軟質球状体からなるので、排水ボール２７によって圧送管２２内の下水１６を排水できるとともに、圧送管２２に傷つけることなく内壁の汚物の除去もできる。また、排水ボール２７は、何回も使用することができる。さらに、汚水除去手段２４の構成も簡単にできる。
【００１２】
請求項４記載の発明によれば、汚水排除手段２４は、３方バルブ３１、吸い上げ管３８、置換水供給管３７、置換水貯留タンク３２を具備し、前記３方バルブ３１の吐出口を圧送ポンプ１９の吸入口に連結し、前記３方バルブ３１の一方の吸入口を吸い上げ管３８に、他方の吸入口を置換水供給管３７にそれぞれ連結し、前記吸い上げ管３８の先端を圧送用マンホール１７内の下水１６に臨ませ、前記置換水供給管３７の先端を置換水貯留タンク３２の置換水４４に臨ませてなり、前記３方バルブ３１を吸い上げ管３８側に切り換えて圧送用マンホール１７内の下水１６を圧送ポンプ１９にて圧送管２２を介して他のマンホール１２に圧送した後、前記３方バルブ３１を置換水供給管３７側に切り換えて置換水貯留タンク３２内の腐敗しにくい置換水４４を圧送ポンプ１９にて圧送管２２に圧送し、この圧送管２２に滞留する下水１６を置換水４４と置換するようにしたので、圧送ポンプ１９を置換水４４の置換作業にもそのまま利用することができる。置換水４４は腐敗しにくいものを使用することで、下水１６の希釈効果も生じる。
【００１３】
請求項５記載の発明によれば、汚水排除手段２４は、第１の２方バルブ３４、吸い上げ管３８、第２の２方バルブ３５、置換水供給管３７、置換水貯留タンク３２を具備し、前記第１の２方バルブ３４の吐出口を圧送ポンプ１９の吸入口に連結し、前記吸い上げ管３８の一端を第１の２方バルブ３４の吸入口に連結するとともに、他端を圧送用マンホール１７内の下水１６に臨ませ、前記置換水供給管３７の一端を前記圧送用マンホール１７に連結するとともに、他端を置換水貯留タンク３２の置換水４４に臨ませ、この置換水供給管３７の途中に第２の２方バルブ３５を介在してなり、前記第１の２方バルブ３４を開き、前記第２の２方バルブ３５を閉じて圧送用マンホール１７内の下水１６を圧送ポンプ１９にて圧送管２２を介して他のマンホール１２に圧送した後、前記第１の２方バルブ３４を閉じ第２の２方バルブ３５を開いて、置換水貯留タンク３２内の腐敗しにくい置換水４４を圧送用マンホール１７に一定量を貯留した後、第１の２方バルブ３４を開いて圧送ポンプ１９にて圧送管２２に圧送し、この圧送管２２に滞留する下水１６を置換水４４と置換するようにしたので、置換水貯留タンク３２内の腐敗しにくい置換水４４を圧送用マンホール１７に一定量を貯留することにより、圧送管２２のみならず、圧送用マンホール１７内も清掃され、圧送管２２と圧送用マンホール１７内のメンテナンスがきわめて容易になる。
【００１４】
請求項６記載の発明によれば、汚水排除手段２４は、２方バルブ３４、吸い上げ管３８、置換水ポンプ３３、置換水供給管３７、置換水貯留タンク３２を具備し、前記２方バルブ３４の吐出口を圧送ポンプ１９の吸入側に連結し、前記吸い上げ管３８の一端を２方バルブ３４の吸入口に連結するとともに、他端を圧送用マンホール１７内の下水１６に臨ませ、前記置換水供給管３７の一端を前記圧送管２２の圧送ポンプ１９に近い位置に連結するとともに、他端を置換水貯留タンク３２の腐敗しにくい置換水４４に臨ませ、この置換水供給管３７の途中に置換水ポンプ３３を介在してなり、前記２方バルブ３４を開いて圧送用マンホール１７内の下水１６を圧送ポンプ１９にて圧送管２２に圧送した後、前記２方バルブ３４を閉じ、置換水貯留タンク３２内の置換水４４を置換水ポンプ３３にて圧送管２２に圧送して圧送管２２に滞留する下水１６を置換水ポンプ３３により置換水４４と置換するようにしたので、圧送用マンホール１７内の下水１６の排水処理と、置換水貯留タンク３２内の置換水４４の置換処理とを独立して制御でき、簡単な制御回路で目的を達成できる。
【発明を実施するための最良の形態】
【００１５】
本発明は、圧送用マンホール１７内の下水１６を圧送ポンプ１９にて排水した後、圧送ポンプ１９のポンプ吐出口３０に設けた２方バルブ２３を閉じ、替わって、圧送管２２に連結した汚水排除手段２４により圧送管２２内に滞留している下水１６を自然流下用マンホール１２に排除する。下水１６を排除するのに、下水１６を排水ボール２７で押し出すことで、圧送管２２の内部を空気と置き換える方法と、下水１６を腐敗しにくい置換水４４で押し出すことで、圧送管２２の内部を置換水４４と置き換える方法とがある。
【実施例１】
【００１６】
本発明による第１実施例を図１及び図２に基づき説明する。
これらの図において、１２は、自然流下用の下水管の埋設地１０に設けられている自然流下用などのマンホールで、この自然流下用マンホール１２は、流入管１３、流出管１４を介して下水の終末処理場に連結されている。
１７は、前記下水管の埋設地１０より低地１１に設けられている圧送用マンホールで、この圧送用マンホール１７には、低地１１の集落等から枝管２１、流入管２０を経て流れてきた下水１６が集められる。この圧送用マンホール１７内には、圧送ポンプ１９が据え付けられ、この圧送ポンプ１９のポンプ吐出口３０に取り付けられた圧送管２２が前記自然流下用マンホール１２に連結されている。
【００１７】
また、この圧送管２２には、圧送ポンプ１９のポンプ吐出口３０にできるだけ近い位置に２方バルブ２３が取り付けられ、この２方バルブ２３の出口側には、汚水排除手段２４が設けられている。
この汚水排除手段２４は、コンプレッサ２５と排水ボール供給容器２６からなり、前記コンプレッサ２５の空気圧供給路２９が圧送管２２の途中に連結されている。この空気圧供給路２９には、前記排水ボール供給容器２６のボール供給路２８が連結され排水ボール２７が１個ずつ供給される。前記空気圧供給路２９を空気圧供給路２９に連結するに際しては、この連結部分が圧送管２２内の下水１６を円滑に自然流下用マンホール１２側に押し出すことができるように、できるだけ屈曲部分をもたないように接続することが望ましい。
【００１８】
前記排水ボール２７は、図２（ａ）に示すように、スポンジボール、ゴムボール、木質ボール、プラスチックボールなどのように、圧送管２２の内壁を傷つけることのない軟質のボールからなり、その直径は、圧送管２２の内径（５０〜１５０ｍｍφ）と略同一とする。この排水ボール２７の内部は、図２（ｂ）に示すように、中空とするものであっても良いし、また、図２（ｃ）に示すように、砲弾のように先端部が丸く、途中が円柱状で、後端部に凹部２７ａを形成したものなどであっても良い。
【００１９】
このような構成において、枝管２１、流入管２０から圧送用マンホール１７内に下水１６が集まり、下水１６が所定水位Ｈ１まで貯まると、２方バルブ２３を開き、圧送ポンプ１９を作動して圧送管２２により下水管の埋設地１０側の自然流下用マンホール１２に圧送する。排水が進み、圧送用マンホール１７内における下水１６の水位がＨ２まで下がると圧送ポンプ１９を停止すると同時に、２方バルブ２３を閉じる。
２方バルブ２３が閉じると、汚水排除手段２４が作動を開始する。すなわち、コンプレッサ２５からの圧縮空気が空気圧供給路２９に吹き込まれると、排水ボール供給容器２６からボール供給路２８を通って排水ボール２７が空気圧供給路２９に供給され、この排水ボール２７が圧送管２２内の下水１６を押し出すようにして自然流下用マンホール１２に向かって移動する。排水ボール２７は、滞留する下水１６を押し出しながら自然流下用マンホール１２まで移動すると、自然流下用マンホール１２内でボール収納容器４３に収容され、下水１６は流出管１４から自然流下により下水処理場へ送られる。
【００２０】
圧送管２２が長い場合には、複数個の排水ボール２７をコンプレッサ２５からの圧縮空気で連続的に押し出すことにより、圧送管２２内の下水１６は、すべて自然流下用マンホール１２に吐き出されて圧送管２２内は空になり空気と置換され、硫化水素等の発生がなくなる。この排水ボール２７が圧送管２２内を移動することで、圧送管２２内壁に付着している汚物も除去される。
滞留する下水１６を圧送管２２から排除すると、つぎの圧送用マンホール１７内からの下水１６の排水に待機する。
自然流下用マンホール１２内でボール収納容器４３に収容された排水ボール２７は、きれいに洗って再び排水ボール供給容器２６に戻される。
【実施例２】
【００２１】
本発明による第２実施例を図３及び図４に基づき説明する。
これらの図において、汚水排除手段２４は、圧送管２２内に滞留している下水１６を腐敗しにくい置換水４４と置換するためのものであり、置換水貯留タンク３２と、置換水供給管３７と、３方バルブ３１と、圧送ポンプ１９とから構成されている。すなわち、圧送用マンホール１７内の吸い上げ管３８を３方バルブ３１の一方の吸入口に連結し、この３方バルブ３１の他の吸入口に置換水貯留タンク３２からの置換水供給管３７を連結し、この３方バルブ３１の吐出口を圧送ポンプ１９に連結したものである。また、置換水貯留タンク３２には、河川の水、地下水などの汚染されておらず、腐蝕しにくい置換水４４を供給する置換水流入管３６が連結されている。
【００２２】
このような構成において、圧送用マンホール１７内の下水１６が所定水位Ｈ１まで貯まると、３方バルブ３１の置換水供給管３７側の他の吸入口を閉じ、吸い上げ管３８側の一方の吸入口を開き、圧送ポンプ１９を作動して圧送管２２により下水管の埋設地１０側の自然流下用マンホール１２に圧送する。排水が進み、圧送用マンホール１７内における下水１６の水位がＨ２まで下がると圧送ポンプ１９を停止すると同時に、３方バルブ３１の吸い上げ管３８側を閉じ、置換水供給管３７側を開く。
すると、汚水排除手段２４が作動を開始する。すなわち、再び圧送ポンプ１９が作動を開始し、置換水貯留タンク３２から置換水供給管３７を通って置換水４４が圧送管２２に供給され、この置換水４４に押し出されるようにして圧送管２２内の下水１６が自然流下用マンホール１２に吐き出される。
【００２３】
置換水４４は、滞留している下水１６と一部混ざり合うので、置換水４４の量は、圧送管２２に滞留している量よりもやや多くなるように設定する。この量は、圧送ポンプ１９の運転時間で制御しても良いし、また、置換水貯留タンク３２内に置換水上部センサ４１と置換水下部センサ４２を設けて制御するようにしても良い。置換水貯留タンク３２内に置換水上部センサ４１と置換水下部センサ４２を設けて制御する場合には、置換水貯留タンク３２内の置換水４４の量が注入開始前に置換水上部センサ４１の位置まで貯留されているように置換水流入管３６からの流入量を図示しないバルブ等で制御しておくことが必要である。
自然流下用マンホール１２に吐出された下水１６は、流出管１４から自然流下により下水処理場へ送られる。圧送管２２内のほとんどの下水１６は、置換水４４と置換され、硫化水素等の発生がなくなる。
なお、この実施例では、圧送管２２の下水１６と置換水４４とを置換するため、次の下水１６の排水工程で圧送管２２に滞留している置換水４４も自然流下用マンホール１２に流すこととなって、下水処理に無駄が生じることになるので、圧送管２２の長さができるだけ短い場合に適用することが望ましい。
【実施例３】
【００２４】
前記第２実施例では、置換水貯留タンク３２の置換水４４を３方バルブ３１で切り換えて圧送ポンプ１９で圧送するようにしたが、本発明は、これに限られるものではなく、図５（ａ）（ｂ）に示すように、第１の２方バルブ３４を圧送ポンプ１９の吐出側に挿入し、置換水貯留タンク３２の置換水４４を置換水供給管３７と第２の２方バルブ３５を介して一旦圧送用マンホール１７に移して圧送ポンプ１９で圧送するようにしても良い。即ち、置換水貯留タンク３２を圧送用マンホール１７より高い位置に設置し、第２の２方バルブ３５を開くことで置換水供給管３７から圧送用マンホール１７に自然流下するように構成する。
【００２５】
このような構成において、最初は第２の２方バルブ３５を閉じ、第１の２方バルブ３４を開いておく。下水１６が圧送用マンホール１７に流入し、下水上部センサ３９の位置に達すると、圧送ポンプ１９が作動して圧送管２２を介して下水１６を自然流下用マンホール１２に圧送する。圧送用マンホール１７内の下水１６が下水下部センサ４０に達すると、一旦圧送ポンプ１９を停止し、かつ第１の２方バルブ３４を閉じ、第２の２方バルブ３５を開く。そして、置換水貯留タンク３２から置換水４４を圧送用マンホール１７に流入させ、置換水上部センサ４１に達すると、第２の２方バルブ３５を閉じ、第１の２方バルブ３４を開いて圧送ポンプ１９を作動して圧送用マンホール１７内の置換水４４を圧送管２２に圧送することで、圧送管２２内の下水１６を置換水４４で押し出して置換する。
【００２６】
図５では、置換水貯留タンク３２からの置換水４４を置換水供給管３７と第２の２方バルブ３５を介して圧送用マンホール１７内に移し、１個の圧送ポンプ１９で圧送と置換をするように構成したが、これに限られるものではなく、点線で示すように、置換水供給管３７に置換専用の置換水ポンプ３３と２方バルブ４５を介して圧送管２２に直接接続するようにしても良い。
そして、圧送ポンプ１９は、圧送用マンホール１７内の下水１６の圧送専用とし、置換水ポンプ３３は、置換水４４と下水１６との置換専用とする。この場合、置換水供給管３７と第２の２方バルブ３５は、不要である。
【００２７】
このような構成において、最初は２方バルブ４５を閉じ、第１の２方バルブ３４を開いておく。下水１６が圧送用マンホール１７に流入し、下水上部センサ３９の位置に達すると、圧送ポンプ１９が作動して圧送管２２を介して下水１６を自然流下用マンホール１２に圧送する。２方バルブ４５を閉じておくことで、置換水貯留タンク３２内に逆流するのを防止する。下水１６が圧送用マンホール１７内の下水１６が下水下部センサ４０に達すると、圧送ポンプ１９を停止し、かつ置換水４４の逆流防止のため、第１の２方バルブ３４を閉じる。そして、２方バルブ４５を開いて圧送ポンプ３３を作動して置換水貯留タンク３２内の置換水４４を圧送管２２に圧送することで、圧送管２２内の下水１６を置換水４４で押し出して置換する。
【００２８】
なお、この実施例においては、圧送管２２の置換水４４は、次の下水１６の圧送時まで圧送管２２内に滞留させておいてもよいが、置換の終了後に２方バルブ４５を開いて圧送管２２内の置換水４４を置換水供給管３７内の自然流下により逆流させ、置換水貯留タンク３２内に戻すようにしてもよい。これにより、少なくとも圧送管２２内で自然流下する置換水４４を再利用することができ、自然流下用マンホール１２に流す置換水４４の量を減らすことができる。置換水４４を何回か使用して汚染されたときは、戻すことなく自然流下用マンホール１２に圧送する。
【産業上の利用可能性】
【００２９】
前記実施例では、圧送用マンホール１７から下水管の埋設地１０である自然流下用マンホール１２まで圧送管２２が連続的に上昇している場合について説明したが、本発明は、これに限られるものではなく、圧送管２２が途中で上下しているために、この圧送管２２の一部に下水１６が滞留するような場合にも利用することができる。
【図面の簡単な説明】
【００３０】
【図１】本発明による圧送式下水道における滞留水排除方法及びその装置の第１実施例を示す断面した説明図である。
【図２】図１における排水ボール２７の異なる例を示すもので、（ａ）は、球状体の排水ボール２７の正面図、（ｂ）は、中空球状体の排水ボール２７の断面図、（ｃ）は、砲弾状の排水ボール２７の断面図である。
【図３】本発明による圧送式下水道における滞留水排除方法及びその装置の第２実施例を示す平面から見た説明図である。
【図４】図３における断面した説明図ある。
【図５】（ａ）は、本発明による圧送式下水道における滞留水排除方法及びその装置の第３実施例を示す平面から見た説明図、（ｂ）は、圧送用マンホール１７の断面した説明図である。
【図６】従来の下水道圧送方法の説明図である。
【図７】図６における平面図である。
【符号の説明】
【００３１】
１０…下水管の埋設地、１１…低地、１２…自然流下用マンホール、１３…流入管、１４…流出管、１５…マンホール蓋、１６…下水、１７…圧送用マンホール、１８…マンホール蓋、１９…圧送ポンプ、２０…流入管、２１…枝管、２２…圧送管、２３…２方バルブ、２４…汚水排除手段、２５…コンプレッサ、２６…排水ボール供給容器、２７…排水ボール、２８…ボール供給路、２９…空気圧供給路、３０…ポンプ吐出口、３１…３方バルブ、３２…置換水貯留タンク、３３…置換水ポンプ、３４…第１の２方バルブ、３５…第２の２方バルブ、３６…置換水流入管、３７…置換水供給管、３８…吸い上げ管、３９…下水上部センサ、４０…下水下部センサ、４１…置換水上部センサ、４２…置換水下部センサ、４３…ボール収納容器、４４…置換水、４５…２方バルブ。
【図１】
2005061154.tif 000003
【図２】
2005061154.tif 000004
【図３】
2005061154.tif 000005
【図４】
2005061154.tif 000006
【図５】
2005061154.tif 000007
【図６】
2005061154.tif 000008
【図７】
2005061154.tif 000009